(57)【特許請求の範囲】
【請求項１】
冷媒少なくとも能力可変型の圧縮機と、利用側熱交換器と、冷媒加熱機と、熱源側熱交換器と、減圧装置とを用いて、利用側熱交換器を冷房用の熱源として作用させる冷房運転の際には、圧縮機から吐出される冷媒が順に室外側熱交換器、減圧装置、利用側熱交換器、圧縮機の順に循環するような冷媒回路が構成され、利用側熱交換器を暖房用の熱源として作用させる暖房運転の際には、圧縮機から吐出される冷媒が順に利用側熱交換器、冷媒加熱機、圧縮機の順に循環するような冷媒回路が構成されてなる冷媒加熱式空気調和機において、
利用側熱交換器を冷房用の熱源として作用させる冷房運転の際は、圧縮機の運転する能力を被調和室の室温を冷房用の目標温度で安定させるための信号に応答して変え、一方、利用側熱交換器を暖房用の熱源として作用させる暖房運転の際は、冷媒加熱機による冷媒の加熱能力を、被調和室の室温を暖房用の目標温度で安定させるための信号から変換された値を中心として冷媒加熱機の冷媒出口部における冷媒の温度が冷媒回路中で冷媒が高圧となっているところの冷媒の温度より所定の関係を持って高くなるように変えると共に、圧縮機の運転する能力を、前記被調和室の室温を暖房用の目標温度で安定させるための信号に応答して変える制御部を備え、
前記制御部は、現在の運転状態を基に圧縮機へ要求する能力の増減値をＯＮ時間を調節したパルス信号に変換して算出する能力設定手段と、このパルス信号のＯＮ時間に基づく能力分、前記圧縮機の運転する能力を増減させる補正を行う能力制御手段とを備え、かつ、この能力制御手段による前記圧縮機の回転数の補正は、前記冷媒加熱機を作動させる暖房運転の際に実行する構成としたことを特徴とする冷媒加熱式空気調和機。
【発明の詳細な説明】
【０００１】
【発明の属する技術分野】
本発明は、冷媒回路と、この冷媒回路中を循環する冷媒を暖房運転時に加熱する冷媒加熱装置とを備えた冷媒加熱式空気調和機に関するものである。
【０００２】
【従来の技術】
従来の冷媒加熱式空気調和機としては、特願平７-６５６４号公報に記載されているようなものがあった。この公報に記載されているものは、圧縮機、室内側熱交換器、冷媒加熱機（たとえば燃焼機）、室外側熱交換器、減圧装置を用いて、室内側熱交換器を冷房用の熱源として作用させる際には、圧縮機から吐出される冷媒が順に室外側熱交換器、減圧装置、室内側熱交換器、圧縮機の順に循環するような冷媒回路が構成され、室内側熱交換器を暖房用の熱源として作用させる際には、圧縮機から吐出される冷媒が順に室内側熱交換器、冷媒加熱機、圧縮機の順に循環するような冷媒回路が構成されて、室内側熱交換器による冷房運転及び暖房運転を可能としたものであった。
【０００３】
【発明が解決しようとする課題】
このように構成された冷媒加熱式空気調和機では、圧縮機は定速回転でＯＮ／ＯＦＦ制御されたものであり、冷房運転時はこの圧縮機がＯＮ／ＯＦＦ制御されると共に冷媒の膨張時の吸熱作用によって冷房運転を可能に成し、暖房運転時は加熱された冷媒を圧縮機の運転で室内側熱交換器へ循環させることによって暖房運転を可能に成していた。
【０００４】
従って、冷媒加熱式空気調和機は、冷房運転時には圧縮機のＯＮ／ＯＦＦを制御し、暖房運転時には冷媒加熱機の燃焼量と圧縮機のＯＮ／ＯＦＦを制御すればよいものであり、通常は圧縮機をＯＮ／ＯＦＦ制御していたものに燃焼機を加えて燃焼量の制御を行うものであったが、このような構成では圧縮機がＯＮ／ＯＦＦ運転しか行っていないので、運転が断続し、制御されるべき被調和室の室温変動幅が大きくなって安定した空気調和が行えないものであった。
【０００５】
そこで、圧縮機の駆動にインバーター等を用いて、圧縮機を能力可変型とすることが考えられたが、既存のインバーターの制御回路と既存の燃焼機の制御回路とを併用する場合、両制御回路間でデータのやりとりが行われず制御にハンチングが生じる場合があった。
【０００６】
本発明はこのような問題点に対し、燃焼機の制御回路を主体として全体の制御を行うことによって、暖房運転時における制御の安定化を図った冷媒加熱式空気調和機を提供するものである。
【０００７】
【課題を解決するための手段】
請求項１にかかる本発明は、少なくとも能力可変型の圧縮機と、利用側熱交換器と、冷媒加熱機と、熱源側熱交換器と、減圧装置とを用いて、利用側熱交換器を冷房用の熱源として作用させる冷房運転の際には、圧縮機から吐出される冷媒が順に室外側熱交換器、減圧装置、利用側熱交換器、圧縮機の順に循環するような冷媒回路が構成され、利用側熱交換器を暖房用の熱源として作用させる暖房運転の際には、圧縮機から吐出される冷媒が順に利用側熱交換器、冷媒加熱機、圧縮機の順に循環するような冷媒回路が構成されてなる冷媒加熱式空気調和機において、利用側熱交換器を冷房用の熱源として作用させる冷房運転の際は、圧縮機の運転する能力を被調和室の室温を冷房用の目標温度で安定させるための信号に応答して変え、一方、利用側熱交換器を暖房用の熱源として作用させる暖房運転の際は、冷媒加熱機による冷媒の加熱能力を、被調和室の室温を暖房用の目標温度で安定させるための信号から変換された値を中心として冷媒加熱機の冷媒出口部における冷媒の温度が冷媒回路中で冷媒が高圧となっているところの冷媒の温度より所定の関係を持って高くなるように変えると共に、圧縮機の運転する能力を、前記被調和室の室温を暖房用の目標温度で安定させるための信号に応答して変える制御部を備え、前記制御部は、現在の運転状態を基に圧縮機へ要求する能力の増減値をＯＮ時間を調節したパルス信号に変換して算出する能力設定手段と、このパルス信号のＯＮ時間に基づく能力分、前記圧縮機の運転する能力を増減させる補正を行う能力制御手段とを備え、かつ、この能力制御手段による前記圧縮機の回転数の補正は、前記冷媒加熱機を作動させる暖房運転の際に実行する構成としたことを特徴とする。
【０００８】
このように構成すると、暖房運転時における冷媒の加熱量を、変動する圧縮機の回転数に対して常に所定量の加熱が得られるようにすることができるものである。
【０００９】
【００１０】
また、圧縮機の運転能力の設定をパルス信号のＯＮ時間によって行うことができるものである。
【００１１】
【発明の実施の形態】
以下本発明の実施例を図面に基づいて説明する。図１は本願発明の冷媒加熱式空気調和機の概略図であり、図中１は室内熱交センサであり室内側熱交換器２（利用側熱交換器）の温度を検出できるように配置されている。３は室内ファンであり、室内熱交換器２へ室内（被調和室）の空気を循環させるものである。従って、室内熱交換器２が冷却器として作用しているときは室内の冷房運転が行われ、室内熱交換器２が暖房器として作用しているときは室内の暖房運転が行われるものである。
【００１２】
４は室温センサであり、室内の温度（被調和室の制御対象温度）を検出するものである。この室温センサ４の検出する温度と予め任意に設定された設定温度とに基づいて冷媒加熱式空気調和機の必要運転能力（冷房能力、暖房能力）を演算して求め、その能力で冷媒加熱式空気調和機が運転されるものである。
【００１３】
５は温度センサであり、四方弁７を介して室内側熱交換器２と圧縮機８とをつなげる冷媒配管に設けられ、内部を流れる冷媒の温度を検出できるように取り付けられている。
【００１４】
また、圧縮機８は回転数を変えることによって運転能力が変わる容量可変型であり、回転数の変更手段としては誘導電動機を用いこの電動機に印加する交流電力の周波数を変えて行うもの、直流電動機を用いこの電動機に印加する直流電力の電圧を変えて行うものなどがある。
【００１５】
９はアキュムレータであり、圧縮機８が液冷媒を吸い込まないように圧縮機８の吸い込み側に設けられて気液混合冷媒の気液分離を行うものである。
【００１６】
１０は逆止弁であり、冷媒の流れを規制するものである。この逆止弁１０は四方弁７からの冷媒をアキュムレータ９側へ流すものである（圧縮機８の運転による負圧で冷媒はアキュムレータ９の側へのみ流れるものである）。１１は温度センサであり、この温度センサ１１は、図１に示すように、後述する冷媒加熱機における熱交換器２２の出口側の冷媒配管に設けられ、内部を流れる冷媒の温度を検出する。また、１９は室外側熱交換器（熱源側熱交換器）であり、外気との熱交換ができるように配置されている。室外熱交換器１９と室内熱交換器２とは減圧装置（キャピラリーチューブなど）１８、逆止弁１７を介して接続され、逆止弁１７によって冷媒室外熱交換器１９から室内熱交換器２の方向へのみ流れるものである。この室外熱交換器１９には外気との熱交換を促進するための室外送風装置１６（少なくともプロペラファンと電動機とから構成）が設けられている。
【００１７】
１５は電磁開閉弁であり、この弁が開くことによって、冷媒が熱交換器２２とバーナー１２とから構成される冷媒加熱機に供給された後、アキュムレータ９へ導かれるものである。
【００１８】
１３は燃焼ファンであり、モータで駆動されバーナー１２へ燃焼用の空気を送るものである。バーナー１２の燃焼量は、燃焼ファン１３による送風量を変えることによって変更でき、送風量を増せば燃焼量が増加し、送風量を減らせば燃焼量が減るものである。
【００１９】
１４は温度ヒューズであり、バーナー１２の燃焼による冷媒加熱機内の温度が異常に高くなったときに、溶断してバーナー１２の燃焼を停止させるものである。また２１はバイメタルスイッチであり、バーナー１２の燃焼による冷媒加熱機内の温度が異常に高くなったときに、切片を開いて保護動作を行うための信号を出力するものである。このバイメタルスイッチの動作温度は、温度ヒューズ１４の溶断温度よりも４０度から５０度程度低く設定されており、また切片の復帰は作動温度に対して所定のデファレンシャルが設定されている。温度ヒューズ１４とバイメタルスイッチ２１は、電気回路上では直列に接続されており、いずれかの部品が作動した際に保護動作が行えるように構成されている。
【００２０】
２３は比例制御弁、２４、２５は電磁開閉弁であり、ガス元栓からバーナー１２に供給されるガスの供給量、及びガスの供給可否を制御するものである。比例制御弁２３の開度は、燃焼ファン１３の送風量に応じて調節され（比例制御弁２３の開度に応じて燃焼ファンの送風量を調節するようにしてよい。）、電磁弁２５は冷媒加熱機が運転状態を保っている際に通電されてガスの流路を開くものであり、電磁開閉弁２４はバーナー１２が燃焼動作を行っている際にガスの流路を開くものである。温度ヒューズ１４、又はバイメタルスイッチ２１のいずれかが作動した際には、まずこの電磁開閉弁２４がガスの流路を閉じるように構成されている。
【００２１】
尚、２０は排気口であり、バーナー１２での排気を機外に排出するものである。また、６は減圧装置（キャピラリーチューブなど）であり、冷凍サイクル中の高圧圧力が減圧装置６で設定された値以上になった際に、高圧側の冷媒の一部を低圧側へ逃がすための保護回路である。
【００２２】
このように構成された冷媒加熱式空気調和機では、暖房運転時には電磁開閉弁１５が開き、四方弁７が実線の状態に設定されて、圧縮機８が運転を開始し、バーナー１２が燃焼を開始することによって、冷媒加熱機の熱交換器２２で加熱された冷媒が、アキュムレータ９を介して圧縮機８に送られ、この圧縮機８により、四方弁７を介して室内側熱交換器２へ送られ、室内側熱交換器２の温度を高める。従って、室内ファン３を運転することによって、室内側熱交換器２で暖められた空気は室内に供給されて室内の暖房運転が行われる。
【００２３】
室内側熱交換器２で送風によって温度が下がった冷媒は、次いで圧縮機８の吐出圧力（又は圧縮機８の吸い込み負圧）によって電磁開閉弁１５を介して冷媒加熱機の熱交換器２２に導かれ、再びバーナー１２によって加熱される。以下、圧縮機８で、この加熱された冷媒が再び吐出されることによって、暖房運転の連続したサイクルが成り立ち、暖房運転が継続される。
【００２４】
冷房運転時には電磁開閉弁１５が閉じ、四方弁７が点線の状態に設定されて、圧縮機８が運転を開始し、バーナー１２が燃焼を停止することによって、アキュムレータ９を介して圧縮機８が吸い込んだ冷媒は、圧縮機８で圧縮された後、四方弁７（点線の流路）を介して室外側熱交換器１９へ供給される。
【００２５】
この室外側熱交換器１９では、圧縮機８から吐出された高温高圧のガス冷媒が外気と熱交換して温度が下げられ凝縮（液化）する。このとき、室外ファン１６が運転することによって、外気と冷媒との熱交換が促進されて冷媒の凝縮を補助する。従って、外気温度、又は冷媒の凝縮後の温度を基にして室外ファン１６の送風量を制御すれば、凝縮後の冷媒の状態を常に一定にして冷凍サイクルの安定化を図ることも可能である。
【００２６】
室外側熱交換器１９で凝縮した冷媒は、減圧装置で絞られた後、逆止弁１７を介して室内側熱交換器２へ送られ、この室内側熱交換器２で蒸発する。この冷媒の蒸発で冷えた室内側熱交換器２に室内ファン３で送風することによって、室内に冷却された空気を供給することができ、室内の冷房運転が可能になるものである。
【００２７】
蒸発した後の冷媒（完全ガスか状態から液冷媒が残る気液混合状態の冷媒）は、四方弁７、逆止弁１０を経て再びアキュムレータ９へ導かれた後、再び圧縮機８で圧縮されて冷房運転のサイクルが継続されるものである。
【００２８】
図２は、図１に示した機器の動作を制御するための制御回路図（ブロック図）である。この図２において、５１は室内ユニットであり、図１に示した室内側熱交換器２、室内ファン３、温度センサ１、４及び制御回路を搭載している。この室内ユニット５１とは３線（電力線、共通線、信号線）で接続されており、電力線、共通線を介して作動用の電力が室内ユニット５１から供給され、信号線、共通線を介してマイコン５５と室内ユニット５１の制御回路とが、制御信号及びデータの授受が行われるように構成されている。
【００２９】
室内ユニット５１の制御回路からは、主に冷房運転／暖房運転を示す信号、室内ユニット５１が要求する運転能力を示す信号などの制御信号が送られる。運転能力は、たとえば温度センサ４の検出した温度と設定温度との差ｅを所定周期毎に検出し、その差ｅとこの差ｅの変化分△ｅとに基づいて予め最適にチューニングされたファジー演算を行って能力補正値を求め、現在の運転能力に対してこの能力補正を行った後の運転能力を新しい運転能力として設定するものである。尚、ファジー演算には予め計算されたルックアップテーブルを用いても良く、また運転能力の算出には他の演算方式（ＰＩＤ演算、ニューロファジー演算など）を用いることもできる。
【００３０】
さらに、室内ユニット５１の動作としては通常の制御（タイマーによる運転機能、室内ファンの風速の自動変更機能、調和された空気の吐出方向の自動変更制御機能、表示機能、室内熱交センサ１の検出する温度に基づく高負荷保護制御や室外側熱交換器２の凍結防止制御などの保護機能）が付加されていても良い。
【００３１】
図２において、５３は電源回路であり、室内ユニット５１から供給された交流電力に基づいて複数の定電圧電力を出力する。たとえばマイコン、各種センサ用、駆動回路用、インバーター回路用、弁用などである。また、この電源回路５３には電流検出器が設けられており、マイコン５５がこの電流検出器の検出する電流値が所定値を越えないように電流消費の大きい機器の運転を抑制させる電流保護制御を行うものである。
【００３２】
５４はシリアル通信回路であり、マイコン５５が室内ユニット５１から送信されてくる制御信号の受信を可能とさせるインターフェース回路である。このシリアル回路５４は主にフォトカプラやスイッチングトランジスタで構成されている。
【００３３】
５６はインバーター回路であり、マイコン５５からの信号に応答して３相ブリッジ状に結線された６個のスイッチング素子がそれぞれＯＮ／ＯＦＦしてＰＷＭ理論に基づく３相の疑似正弦波を電源回路５３から供給される直流電力から変換して圧縮機８の駆動用３相誘導電動機に供給する。この疑似正弦波の周波数を変えれば圧縮機８の回転数が変化し圧縮機の運転能力を制御することができる。
【００３４】
また、圧縮機８の駆動用にブラシレスの直流電動機を用いた場合は、この電動機の回転子の回転位置に基づいて常に特定の固定子巻線に電流が通電されるように生成された信号をマイコン５５から出力し、この信号に応答して３相ブリッジ状に結線された６個のスイッチング素子がそれぞれＯＮ／ＯＦＦしてこの電動機の連続した回転が維持されるものである。さらにマイコン５５から出力されるこの信号を所定の周期でチョッピングしさらにそのＯＮデューティーを変えることによって直流電動機の固定子巻線に印加される疑似電圧を変えることができ、電動機の回転数を変えることができる。すなわち圧縮機の運転能力を制御することができる。
【００３５】
５７は各種センサであり、たとえば圧縮機８から吐出される冷媒の温度を検出しこの温度が高いときに保護動作をマイコン５５が実行するための温度センサ、外気温度を検出するための温度センサ、インバーター回路５６の温度を検出しこの温度が高いときに保護動作をマイコン５５が実行するための温度センサなどであり、これらのセンサの出力はマイコン５５に与えられる。
【００３６】
５９はマイコンであり、マイコン５５と制御信号を及びデータの授受が可能に接続されており、主に冷媒加熱機の運転制御を行うものである。
【００３７】
５８は各種センサであり、各種センサ５７と同様に冷媒の温度を検出する温度センサ５、１１、温度ヒューズ１４、バイメタルスイッチ２１、バーナー１２の着火を検出するフレームロッドなどで構成されており、これらのセンサの出力はマイコン５９に与えられる。
【００３８】
６０、６１は駆動回路でありそれぞれ、駆動回路６０は比例制御弁２３に用いるステップモータを駆動するための回路であり、駆動回路６１は燃焼ファン１３のモータの回転数を制御するための回路である。燃焼ファン１３のモータの回転数制御は前記した圧縮機８の回転数制御と同様の方式を用いることができる。
【００３９】
６２はイグナイターであり、バーナー１２の点火に用いられその動作はマイコン５９から制御される。
【００４０】
このように構成された冷媒加熱式空気調和機において暖房運転を行う際（室内ユニット５１から暖房運転を示す信号と要求運転能力を示すデータが送信された際）には、まず、その信号をマイコン５５がシリアル回路５４を介して受信し、この受信した信号をそのままマイコン５９へ転送する。同時に、四方弁７を暖房運転の状態（図２に示す実線の状態）に変える。
【００４１】
マイコン５９では、まず電磁開閉弁１５を閉じて圧縮機８を予め設定された回転数で運転させるための制御信号をマイコン５５へ出力する。すなわち、室外側熱交換器１９にたまっている冷媒を回収する運転を行う。この冷媒回収運転の時間は室外側熱交換器１９の容量によって予め設定され、この時間はまた所定時間内又は所定条件下では短く設定している。
【００４２】
マイコン５５は、マイコン５９からの信号に応答して圧縮機８を設定された回転数で運転する。このような運転によって冷媒回路中の冷媒は室内側熱交換器５に溜め込まれる。
【００４３】
次いで、冷媒回収運転の終了後に圧縮機８を運転させたまま電磁開閉弁１５を開く。このとき圧縮機８の新たな回転数が温度センサ５の検出値Ｔｈ１によって初期設定される。
【００４４】
初期設定される回転数は、
Ｔｈ１が１０度未満の時最大回転数の９０％の回転数、
Ｔｈ１が１０以上２０度以下の時最大回転数の６０％の回転数、
Ｔｈ１が２０度を超える時最大回転数の４０％回転数である。このそれぞれの回転数は冷媒回路全体の容量や圧縮機８の最大運転能力等に基づいて任意に設定されるものでありこの限りではない。
【００４５】
同時にバーナー１２による燃焼が開始される。バーナー１２の燃焼量は、マイコン５５から転送された室内ユニット５１の要求する運転能力に基づいて設定される。尚、バーナー１２の点火は、イグナイター６２、フレームロッド等を用いた通常のプロセスによって行われる。
【００４６】
バーナー１２の燃焼量は、まず予め運転能力に対して複数段階に設定された変換表に基づいて設定され、次いで温度センサ１１の検出する温度値が目標温度値Ｔｈ２に至るように比例制御弁及び燃焼ファン１３の送風量がマイコン５９によって制御される。
【００４７】
変換表は、本実施例ではほぼ等間隔に１６段階に分けられているが、バーナーの最大燃焼量に応じてこの段数は任意に設定されるものであり、またバーナーの燃焼特性に応じて必ずしも等間隔にする必要はない。
【００４８】
目標温度Ｔｈ２は、温度センサ５の検出温度値Ｔｈ１に基づいて以下のように設定する。Ｔｈ２＝（Ｔｈ１×ａ＋ｂ）±α、但しａ、ｂ、αは、定数であり、全体の運転状態を基にして予め設定されるものである。従って、それぞれの熱交換器、圧縮機、バーナー等の能力に基づいて設定されるものである。また、比例制御弁及び燃焼ファン１３の送風量、すなわちバーナー１２の燃焼量の変更は、所定周期（本実施例では１０秒から２０秒の間）毎に行われる。
【００４９】
尚、室内ユニット５１が要求する運転能力が変化すれば、バーナー１２に設定される燃焼量が変化されるが、再び温度センサ１１の検出する温度値が目標温度値Ｔｈ２に至るようにマイコン５９によって制御されるので、この温度センサ１１の検出する温度値は、常に目標温度値Ｔｈ２で安定することになる。
【００５０】
また、圧縮機８の回転数は、次のようにして補正される。温度センサ１１の検出する温度値がＴｈ２に収束するように、温度値とＴｈ２との差に基づいて回転数の補正値を求めその補正値を、マイコン５５へ送信して圧縮機８の回転数を変えるものである。この際の補正値のマイコン５５への送信周期は、バーナー１２の燃焼量の補正周期より短じかく（１秒程度）設定し、圧縮機８の回転数変更がバーナー１２の燃焼量変更に優先するように設定している。
【００５１】
このように設定することによって、バーナー１２の燃焼量に合わせて常に最適な圧縮機８の回転数が得られるようになる。尚、実際には、圧縮機８の回転数は、マイコン５５が入力する各種の検出器（圧縮機の温度や、電流検出器の検出する電流、冷媒の温度）の出力によって、保護機能を作動させる場合があり、保護機能の種類によっては圧縮機８の回転数の維持や減少が行われる。この際は、圧縮機８の回転数の上昇補正が行われなくなるが、追ってバーナー１２の燃焼量が増加補正されるので、温度センサ１１の検出する温度をＴｈ２に維持することができる。
【００５２】
図３は、マイコン５９からマイコン５５へ出力される圧縮機８の回転数補正信号を示す図である。周期Ｔ（Ｔ＝１秒）、ＯＮデューティｔ（ｔ＝０％〜１００％）の連続したパルス信号である。ｔ＝１００％（Ｈレベルの連続した出力）では最大の補正値（１０ｒｐｍ）、ｔ＝０％（Ｌレベルの連続した出力）では補正なしとなり、分解能は０．１ｒｐｍに設定している。尚、上記は圧縮機の回転数で示したが、圧縮機の駆動源に誘導電動機を用いた場合には、この回転数を直接周波数に置き換えても良い。この場合、最大補正値で２Ｈｚ／ｓｅｃ程度が望ましい。
【００５３】
図４は、補正の特性を示す図であり、温度センサ１１の検出した検出値に対して補正値を求めるものである。Ｔｈ２±３以上では、最大値（ｍａｘ）になっている。また、検出値がＴｈ２-１以上ＴＨ２＋３以下の範囲で、検出値の変化方向が反転（減少→増加、増加→減少）した時点においてＯＮデューティを０にして、圧縮機の回転数の補正を終了する。尚、補正の復帰は、検出値がＴｈ２-１以上ＴＨ２＋３以下の範囲を越えたときから再開する。図４の特性は、補正値が最大になるところを変えることによって追従性を変えることができる。例えば、図４では、Ｔｈ２＋３で補正値が最大になっているが、Ｔｈ２＋１０で補正値が最大になるように設定しても良い。
【００５４】
次に冷房運転を行う際には、室内ユニット５１からの冷房運転信号に応じてマイコン５５が四方弁７を冷房運転側（図１に示す点線の状態）に切り換える。室内ユニット５１からの信号は、マイコン５９へ転送されているので、マイコン５９はこの信号に基づいてバーナー１２の燃焼を停止すると共に電磁開閉弁１５を閉じる。
【００５５】
また、マイコン５５は、室内ユニット５１から要求される運転能力に基づいて圧縮機の回転数を制御するものである。
【００５６】
【発明の効果】
このように構成された冷媒加熱式空気調和機では、圧縮機の運転能力と冷媒加熱機の加熱能力とを被調和室の負荷に応じて変えることにより、冷媒加熱機を作動させる暖房運転時での運転能力を負荷の大きさにバランスさせることができるものであり、温度変動の少ない安定した暖房運転が可能になるものである。
【００５７】
また、圧縮機の運転能力の増減値をアナログ的に変更することができ、短い周期での運転能力の変更が可能になるものである。
【００５８】
【図面の簡単な説明】
【図１】  本発明の実施例を示す冷媒加熱式空気調和機の概略図である。
【図２】  図１に示した機器の動作を制御するための制御回路図（ブロック図）である。
【図３】  マイコンから出力される圧縮機の回転数補正信号を示す図である。
【図４】  補正の特性を示す図である。
【符号の説明】
２        室内側熱交換器
５、１１  温度センサ
７        四方弁
８        圧縮機
１２        バーナー（冷媒加熱機）
１８        減圧装置
１９        室外側熱交換器
２２ 熱交換器（冷媒加熱機）
【図１】
0003795989.tif 000002
【図２】
0003795989.tif 000003
【図３】
0003795989.tif 000004
【図４】
0003795989.tif 000005